(57)【要約】【課題】メガソーラーのような大型の太陽光発電装置を俯瞰する全体画像を作成して異常を検出する、太陽光発電装置の検査装置を提供する。【解決手段】本発明の太陽光発電装置の検査装置は、太陽光発電装置の一部領域である複数の区画の複数の区画画像を受信する受信部と、複数の区画画像のそれぞれに付与されているＧＰＳデータを読み取るＧＰＳデータ読み取り部と、複数の区画画像に含まれる異常部位および特定部位の少なくとも一方を検出する検出部と、ＧＰＳデータに基づいて、複数の区画画像を、太陽光発電装置の区画に対応する位置に配置する配置部と、異常部位および特定部位の少なくとも一方に基づいて、複数の区画画像の位置を調整する調整部と、配置部および調整部での処理に基づいて、複数の区画画像から太陽光発電装置の全体画像を生成する生成部と、を備える。【選択図】図３
2018042360.tif 000002
【特許請求の範囲】
【請求項１】
太陽光発電装置の一部領域である複数の区画の複数の区画画像を受信する受信部と、
前記複数の区画画像のそれぞれに付与されているＧＰＳデータを読み取るＧＰＳデータ読み取り部と、
前記複数の区画画像に含まれる異常部位および特定部位の少なくとも一方を検出する検出部と、
前記ＧＰＳデータに基づいて、前記複数の区画画像を、前記太陽光発電装置の区画に対応する位置に配置する配置部と、
前記異常部位および前記特定部位の少なくとも一方に基づいて、前記複数の区画画像の位置を調整する調整部と、
前記配置部および前記調整部での処理に基づいて、前記複数の区画画像から前記太陽光発電装置の全体画像を生成する生成部と、を備える、太陽光発電装置の検査装置。
【請求項２】
前記区画画像は、前記太陽光発電装置の上空から、無人操縦機で撮像される、請求項１記載の太陽光発電装置の検査装置。
【請求項３】
前記区画画像は、重複する部分を含むことがある、請求項１または２記載の太陽光発電装置の検査装置。
【請求項４】
前記複数の区画画像の集合は、前記太陽光発電装置全体を含む、請求項１から３のいずれか記載の太陽光発電装置の検査装置。
【請求項５】
前記ＧＰＳデータは、前記無人操縦機で撮像される際に、前記無人操縦機により付与される、請求項１から４のいずれか記載の太陽光発電装置の検査装置。
【請求項６】
前記配置部は、前記区画画像を、前記ＧＰＳデータに基づいて、相互の位置関係に合わせて並べて大まかな略全体画像を生成する、請求項１から５のいずれか記載の太陽光発電装置の検査装置。
【請求項７】
前記配置部は、前記区画画像に含まれる前記ＧＰＳデータでの位置関係が不明な場合には、仮の位置に当該区画画像を配置する、請求項６記載の太陽光発電装置の検査装置。
【請求項８】
前記調整部は、異なる前記区画画像に含まれる前記異常部位もしくは前記特定部位が同一であるかを判定し、
同一であると判定する場合には、異なる前記区画画像同士を、同一の前記異常部位もしくは前記特定部位を基準として、位置調整する、請求項１から７のいずれか記載の太陽光発電装置の検査装置。
【請求項９】
前記異常部位は、前記区画において、温度が所定値以上の部位である、請求項１から８のいずれか記載の太陽光発電装置の検査装置。
【請求項１０】
前記異常部位は、前記区画において、温度が所定値未満の部位である、請求項１から８のいずれか記載の太陽光発電装置の検査装置。
【請求項１１】
前記特定部位は、前記太陽光発電装置に含まれる太陽光発電パネルの角部、端面、配線および特殊地形の少なくとも一つを含む、請求項１から１０のいずれか記載の太陽光発電装置の検査装置。
【請求項１２】
前記全体画像は、前記太陽光発電装置全体を俯瞰できる、請求項１から１１のいずれか記載の太陽光発電装置の検査装置。
【請求項１３】
前記全体画像に含まれる前記異常部位に基づいて、前記太陽光発電装置が含む複数の太陽光発電パネルの内、不良のある不良太陽光発電パネルを識別する識別部を更に備える、請求項１から１２のいずれか記載の太陽光発電装置の検査装置。
【請求項１４】
前記不良太陽光発電パネルの、不良レベルを解析する解析部を更に備える、請求項１３記載の太陽光発電装置の検査装置。
【発明の詳細な説明】
【技術分野】
【０００１】
本発明は、太陽光発電装置の状況を把握するために上空から撮像して全体俯瞰画像を生成する太陽光発電装置の検査装置に関する。
【背景技術】
【０００２】
いずれの国においても、文明的な生活を形作るために、電力を生成する必要がある。この電力生成のために、水力発電、火力発電、原子力発電などが行われており、これらの発電所が整備されている。一方で、近年の環境保護意識の高まり、地球温暖化対応のための二酸化炭素排出削減、化石燃料の使用量削減などの状況により、再生可能エネルギーを用いた発電が普及しつつある。
【０００３】
この再生可能エネルギーによる発電の一つとして太陽光発電がおこなわれるようになっており、我が国を始めとして、各国で普及し始めている。普及率の高い国や地域においては、発電量全体の数割程度を賄うまでになっている。太陽光発電装置が様々な場所に設置され、太陽光発電が実現されている。
【０００４】
このような太陽光発電の普及の進み始めている国では、多数の太陽光発電パネルを同じ地域に並べて、メガワット級の大きな電力を生成するメガソーラーなどが設置されるようになっている。このメガソーラーのような大型太陽光発電装置が設置されて、従来型の発電所に匹敵するほどの電力を生成するようになってきている。
【０００５】
メガソーラーのような大型太陽光発電装置は、非常に数多くの太陽光発電パネルを備える。近年の太陽光発電パネルの価格低下によって、数多くの太陽光発電パネルを組み合わせる大型太陽光発電装置が実現できるようになっている。
【０００６】
このような大型太陽光発電装置は、数１０００枚以上の太陽光発電パネルが組み合わされて構成される。多数の太陽光発電パネルが整列して設置され、それぞれが電気的に接続される。また、必要な区画ごとでパワーコンディショナーや蓄電池が設けられ、発電した電力を効率的に取り出すことができるようになっている。
【０００７】
このような構成を有する大型太陽光発電装置は、空き地に設置されることが多い。しかしながら我が国を始めとして多くの国や地域では、広大な平野が余っていないことが多い。このため、平野部であって周囲に建造物がある中で、余っている隙間の空き地などが活用されることが多い。あるいは山間部の窪地が活用されることがある。あるいは、工場の跡地、駅の跡地などのまとまった広さのある跡地が活用されることがある。
【０００８】
このような隙間の空き地に、大型太陽光発電装置が設置される傾向がある。上述の通り、メガソーラーのような大型太陽光発電装置は、多くの太陽光発電パネルを使用する。すなわち、全体の領域は非常に大きい。結果として、隙間のような空き地に、非常に大きな領域を占める大型太陽光発電装置が設置される。
【０００９】
太陽光発電装置は、これを構成する太陽光発電パネルのそれぞれが正常かつ適切に動作することで、最適な発電を実現できる。太陽光発電パネルのいずれかが劣化、故障、誤動作すると、太陽光発電装置は、最適な発電を実現できない。あるいは、太陽光発電パネル同士を接続する電気接続系統に故障等があれば、同じように、最適な発電を実現できない。
【００１０】
上述の通り、メガソーラーのような大型太陽光発電装置では、多くの太陽光発電パネルが使用される。このため、数多くの太陽光発電パネルのいずれかが劣化、故障、誤動作する可能性があり、枚数の多さにより確率が高くなる。数多くの太陽光発電パネルが組み込まれているので、いずれかの太陽光発電パネルの劣化や故障などの問題を発見するのは非常に難しい問題がある。
【００１１】
加えて、上述の通り、隙間となる空き地に設置されていることが多く、作業者が太陽光発電パネルの検査のために赴くことが難しいこともある。特に、山間部の傾斜地に設置されている場合には、現地での確認作業が大変となることがある。山間部の斜面を登って行かなければならなかったり、広大な敷地を歩いて確認しなければならなかったりするからである。
【００１２】
また、多くの太陽光発電パネルは、架台に載せられていることが多い。このため、作業者が、太陽光発電パネルを上から目視して確認することも難しい問題がある。
【００１３】
一方で、太陽光発電パネルの劣化、故障、誤動作などの異常を、早期に把握できることは、太陽光発電装置全体での継続的かつ最適な発電にとって必要である。このため、太陽光発電パネルの異常を把握することが求められている。このような状況において、ラジコンヘリコプターから太陽光発電装置を撮像して、太陽光発電パネルの問題を把握する技術が提案されている（例えば、特許文献１参照）。
【先行技術文献】
【特許文献】
【００１４】
【特許文献１】特開２０１５−１４６３７１号公報
【発明の概要】
【発明が解決しようとする課題】
【００１５】
特許文献１は、ラジコンヘリコプターに赤外線カメラを搭載し、ラジコンヘリコプター並びに赤外線カメラを遠隔操作してソーラーパネルの赤外画像を撮影し、撮影された赤外画像を映像モニターに出力することで、ソーラーパネル５０の不具合箇所を検知・特定して、故障診断を行うソーラーパネル故障診断システムを開示する。
【００１６】
特許文献１の技術は、上空からラジコンヘリコプターでソーラーパネルの画像を撮影し、画像を解析することで、ソーラーパネルの故障を診断して修理や交換に対応することを目的としている。
【００１７】
しかしながら、上述したように、メガソーラーなどの大型太陽光発電装置は、非常に数多くの太陽光発電パネルを備えている。また、非常に広い領域に渡って構成されているので、非常に広い範囲に太陽光発電パネルが存在する。この広い範囲にある太陽光発電パネル全体の画像を撮影することは非常に大変である。
【００１８】
特許文献１では、ラジコンヘリコプターで画像を撮像するが、ラジコンヘリコプターの上昇できる高さは、数１０ｍからせいぜい数１００ｍ程度である。また、備わるカメラの画角も光学的な制約により制限がある。このため、一枚の撮像で、大型の太陽光発電装置全体の画像を撮影することは困難である。もし、一枚の撮像で大型の太陽光発電装置全体の画像を撮影するために、魚眼レンズのような広い画角のカメラを用いたり、ラジコンヘリコプターを非常に高い高度に上昇させたりすると、画質が悪くなり、問題を把握することが難しくなる問題がある。これは赤外画像であっても同様である。
【００１９】
また、一枚の画像に太陽光発電装置全体を入れることができない場合には、複数の区画に分割して画像を撮影し、それぞれの画像を解析して問題を検出することも考えられる。しかしながら、太陽光発電装置は、ほぼ同じ形状や外観の太陽光発電パネルが並んでおり、複数の画像のそれぞれを区別することが難しい。加えて、それぞれの画像が、実際の太陽光発電装置のいずれの位置に対応するのかを同定するのが難しい問題もある。
【００２０】
実際には、複数の区画に分割して複数の画像を撮影し、これらを組み合わせて太陽光発電装置全体を俯瞰する全体画像を作成することが必要となる。いずれの位置の太陽光発電パネルに問題があるかを把握する必要があるからである。
【００２１】
しかしながら、上述の通り、複数の区画に分割して撮像された画像は、同様の形状や外観の写真が写っているだけで、実際の太陽光発電装置のいずれの場所の画像であるかを判断することは極めて難しい。このような複数の画像を組み合わせて、正しく太陽光発電装置の全体画像を作成することは極めて困難である。
【００２２】
また、ラジコンヘリコプターは、その上空での位置および撮像角度を厳密に制御することは難しい。この制御の難しさによって、撮像される複数の画像のそれぞれは、太陽光発電装置全体での位置との対応性が、更に分かりにくくなる。
【００２３】
このような問題があることで、設置されている太陽光発電装置のいずれの太陽光発電パネルに問題があるかを、全体を俯瞰しながら特定して解析することが難しい問題があった。
【００２４】
本発明は、以上の課題に鑑み、メガソーラーのような大型の太陽光発電装置を俯瞰する全体画像を作成して異常を検出する、太陽光発電装置の検査装置を提供することを目的とする。
【課題を解決するための手段】
【００２５】
上記課題に鑑み、本発明の太陽光発電装置の検査装置は、太陽光発電装置の一部領域である複数の区画の複数の区画画像を受信する受信部と、
複数の区画画像のそれぞれに付与されているＧＰＳデータを読み取るＧＰＳデータ読み取り部と、
複数の区画画像に含まれる異常部位および特定部位の少なくとも一方を検出する検出部と、
ＧＰＳデータに基づいて、複数の区画画像を、太陽光発電装置の区画に対応する位置に配置する配置部と、
異常部位および特定部位の少なくとも一方に基づいて、複数の区画画像の位置を調整する調整部と、
配置部および調整部での処理に基づいて、複数の区画画像から太陽光発電装置の全体画像を生成する生成部と、を備える。
【発明の効果】
【００２６】
本発明の太陽光発電装置の検査装置は、撮像された区画画像にＧＰＳデータが組み込まれている。組み込まれているＧＰＳデータにより、区画画像が、実際の太陽光発電装置のいずれの区画の画像であるかを判別できる。加えて、分割画像が含む温度異常位置と特異位置とを用いることで、別の分割画像の相対位置関係を確定させることができる。
【００２７】
これらの判別と組み合わせが実施されることで、複数の分割画像を組み合わせて、全体を俯瞰する全体画像を作成することができる。この全体画像が得られることで、太陽光発電装置全体の状況を、問題位置の特定と合わせて把握することができる。
【００２８】
特に、メガソーラーなどの非常に大型の太陽光発電装置では、非常に広大な領域となりえるが、この広大な太陽光発電装置の全体画像を作成できる。近年、設置が進んでいる大型の太陽光発電装置の問題を早期に検出できることで、発電効率の向上や設備維持の容易化が実現できる。
【図面の簡単な説明】
【００２９】
【図１】大型の太陽光発電装置の模式図である。
【図２】太陽光発電装置の一部を示す斜視図である。
【図３】本発明の実施の形態１における太陽光発電装置の検査装置のブロック図である。
【図４】本発明の実施の形態１における区画画像の一例を示す模式図である。
【図５】本発明の実施の形態１における区画画像の撮像を示す模式図である。
【図６】本発明の実施の形態１における無人操縦機２００から通信ネットワークで区画画像を受け取る模式図である。
【図７】本発明の実施の形態１における配置部による区画画像の配置を示す模式図である。
【図８】本発明の実施の形態１における異常部位を用いた区画画像の組み合わせを示す模式図である。
【図９】本発明の実施の形態１における全体画像の模式図である。
【図１０】本発明の実施の形態２における区画画像の組み合わせを示す説明図である。
【図１１】本発明の実施の形態２における検査装置のブロック図である。
【図１２】本発明の実施の形態２における検査装置のブロック図である。
【図１３】本発明の実施の形態２におけるホットスポットの検出と区画画像構築のフローチャートである。
【発明を実施するための形態】
【００３０】
本発明の第１の発明に係る太陽光発電装置の検査装置は、太陽光発電装置の一部領域である複数の区画の複数の区画画像を受信する受信部と、
複数の区画画像のそれぞれに付与されているＧＰＳデータを読み取るＧＰＳデータ読み取り部と、
複数の区画画像に含まれる異常部位および特定部位の少なくとも一方を検出する検出部と、
ＧＰＳデータに基づいて、複数の区画画像を、太陽光発電装置の区画に対応する位置に配置する配置部と、
異常部位および特定部位の少なくとも一方に基づいて、複数の区画画像の位置を調整する調整部と、
配置部および調整部での処理に基づいて、複数の区画画像から太陽光発電装置の全体画像を生成する生成部と、を備える。
【００３１】
この構成により、細切れで撮像された複数の区画画像から、高い精度で位置合わせして太陽光発電装置の全体画像を得ることができる。
【００３２】
本発明の第２の発明に係る太陽光発電装置の検査装置では、第１の発明に加えて、区画画像は、太陽光発電装置の上空から、無人操縦機で撮像される。
【００３３】
この構成により、区画画像を容易かつ低コストで得ることができる。
【００３４】
本発明の第３の発明に係る太陽光発電装置の検査装置では、第１または第２の発明に加えて、区画画像は、重複する部分を含むことがある。
【００３５】
この構成により、重複している区画画像の配置と組み合わせにより、漏れる部分なく、全体画像を構成できる。
【００３６】
本発明の第４の発明に係る太陽光発電装置の検査装置では、第１から第３のいずれかの発明に加えて、複数の区画画像の集合は、太陽光発電装置全体を含む。
【００３７】
この構成により、太陽光発電装置全体の全体画像を生成できる。
【００３８】
本発明の第５の発明に係る太陽光発電装置の検査装置では、第１から第４のいずれかの発明に加えて、ＧＰＳデータは、無人操縦機で撮像される際に、無人操縦機により付与される。
【００３９】
この構成により、ＧＰＳデータを有した区画画像が得られる。また、このＧＰＳデータを用いて、区画画像の配置を行うことができる。
【００４０】
本発明の第６の発明に係る太陽光発電装置の検査装置では、第１から第５のいずれかの発明に加えて、配置部は、区画画像を、ＧＰＳデータに基づいて、相互の位置関係に合わせて並べて大まかな略全体画像を生成する。
【００４１】
この構成により、大体の配置での全体画像を生成でき、これを調整することで最終的な全体画像を生成できる。特に、略全体画像が生成されていることで、調整部での調整処理が容易かつ高速となる。
【００４２】
本発明の第７の発明に係る太陽光発電装置の検査装置では、第６の発明に加えて、配置部は、区画画像に含まれるＧＰＳデータでの位置関係が不明な場合には、仮の位置に当該区画画像を配置する。
【００４３】
この構成により、略全体画像を、一定レベルで構成できる。
【００４４】
本発明の第８の発明に係る太陽光発電装置の検査装置では、第１から第７のいずれかの発明に加えて、調整部は、異なる区画画像に含まれる異常部位もしくは特定部位が同一であるかを判定し、同一であると判定する場合には、異なる区画画像同士を、同一の異常部位もしくは特定部位を基準として、位置調整する。
【００４５】
この構成により、調整部は、重複する部分を有する複数の区画画像を、正確な位置において組み合わせることができる。これが繰り返されることで、全ての区画画像の配置と組み合わせが、撮像対象の太陽光発電装置に対応するようになる。
【００４６】
本発明の第９の発明に係る太陽光発電装置の検査装置では、第１から第８のいずれかの発明に加えて、異常部位は、区画において、温度が所定値以上の部位である。
【００４７】
本発明の第１０の発明に係る太陽光発電装置の検査装置では、第１から第９のいずれかの発明に加えて、異常部位は、区画において、温度が所定値未満の部位である。
【００４８】
これらの構成により、区画画像の組み合わせのための基準を入手できるようになる。
【００４９】
本発明の第１１の発明に係る太陽光発電装置の検査装置では、第１から第１１のいずれかの発明に加えて、特定部位は、太陽光発電装置に含まれる太陽光発電パネルの角部、端面、配線および特殊地形の少なくとも一つを含む。
【００５０】
この構成により、特定部位を、区画画像同士の組み合わせの基準として使用できるようになる。
【００５１】
本発明の第１２の発明に係る太陽光発電装置の検査装置では、第１から第１１のいずれかの発明に加えて、全体画像は、太陽光発電装置全体を俯瞰できる。
【００５２】
この構成により、太陽光発電装置の全体を俯瞰して、問題点を早期に検討することができる。
【００５３】
本発明の第１３の発明に係る太陽光発電装置の検査装置では、第１から第１２のいずれかの発明に加えて、全体画像に含まれる異常部位に基づいて、太陽光発電装置が含む複数の太陽光発電パネルの内、不良のある不良太陽光発電パネルを識別する識別部を更に備える。
【００５４】
この構成により、不良などの問題のある太陽光発電パネルを、検出して、メンテナンスなどに役立てることができる。
【００５５】
本発明の第１４の発明に係る太陽光発電装置の検査装置では、第１３の発明に加えて、不良太陽光発電パネルの、不良レベルを解析する解析部を更に備える。
【００５６】
この構成により、メンテナンス等への活用が更に促進される。
【００５７】
以下、図面を参照しながら、本発明の実施の形態を説明する。
【００５８】
（実施の形態１）
【００５９】
（全体概要）
図１は、大型の太陽光発電装置の模式図である。図１に示される太陽光発電装置１００は、いわゆるメガソーラーなどと言われる、広い場所に多数の太陽光発電パネルを並べて、メガワット級の発電を行う。図１のような大型の太陽光発電装置１００は、多数の太陽光発電パネルを並べて設置されるので、平野部、谷沿いの広い領域、河原などの広い領域に設置される。
【００６０】
これらの設置の結果、太陽光発電装置１００は、広い領域を占める。加えて、設置される場所の地形に応じて、その設置形状もさまざまである。図１でも、外周を形成する領域での設置形状は様々である。
【００６１】
図２は、太陽光発電装置の一部を示す斜視図である。太陽光発電装置１００は、図１のように、設置が可能である場所に設置されている。この太陽光発電装置１００は、太陽光発電パネル１０１を備えている。図２のように、多数の太陽光発電パネル１０１が組み合わされて、太陽光発電装置１００が構成されている。
【００６２】
図３は、本発明の実施の形態１における太陽光発電装置の検査装置のブロック図である。太陽光発電装置の検査装置（以下、必要に応じて「検査装置」と略す）１は、受信部２、ＧＰＳデータ読み取り部３、検出部４、配置部５、調整部６、生成部７を、備える。
【００６３】
受信部２は、太陽光発電装置１００の一部領域である区画の区画画像を受信する。何らかの撮像装置により、太陽光発電装置１００の上空から画像が撮影される。このとき、太陽光発電装置１００は、極めて大きく広い面積を有する。このため、この太陽光発電装置１００の一部領域である区画ごとに区切って、画像が撮影される。太陽光発電装置１００はその大きさから、複数の区画を有する。この複数の区画のそれぞれに対応する区画画像が撮影される。
【００６４】
受信部２は、この撮像装置によって撮像された複数の区画画像を受信する。ここで、受信とは、撮像装置から有線、無線などの通信ネットワークで区画画像のデータを受信する態様であってもよい。あるいは、半導体メモリや磁気メモリなどの記憶媒体の手段で、区画画像のデータを受け取ってもよい。受信部２は、区画画像のデータを、種々の手段（人的作業も含む）で、受け取ればよい。このような種々の態様での区画画像の受け取りを総称して受信としている。
【００６５】
ここで、太陽光発電装置１００の区画は、きれいに分割されていてもよいし、隣接する区画同士の少なくとも一部が重なっていてもよい。このため、複数の区画画像のそれぞれは、きれいに分割された区画ごとの画像であってもよいし、一部が重複した状態の画像であってもよい。
【００６６】
図４は、本発明の実施の形態１における区画画像の一例を示す模式図である。図４に示されるように、区画画像２０は、太陽光発電装置１００の一部の領域である区画に対応する画像である。
【００６７】
このような区画画像２０を、受信部は受信して、検査装置１での処理を開始できる。
【００６８】
ＧＰＳデータ読み取り部３は、受信部２が受信した複数の区画画像２０のそれぞれに付与されているＧＰＳデータを読み取る。撮像装置は、太陽光発電装置１００の上空から区画画像２０を撮影する。この撮像において、撮像装置は、区画画像２０に対応する区画のＧＰＳデータを付与する。撮像装置がＧＰＳ機能を有していれば。撮像した区画に対応するＧＰＳデータを付与できるからである。
【００６９】
このため、区画画像２０は、撮像された内容に加えて撮像された区画に対応するＧＰＳデータを有している。ＧＰＳデータ読み取り部３は、この区画画像２０に付与されているＧＰＳデータを読み取る。この結果、検査装置１は、区画画像２０の内容とＧＰＳデータとを、情報として使用することができる。
【００７０】
検出部４は、区画画像に含まれる異常部位および特定部位の少なくとも一方を検出する。区画画像は、その位置や状況によって、異常部位や特定部位の少なくとも一つを含むことがある。検出部４は、画像処理や画像検索によって、区画画像２０に含まれる異常部位および特定部位を検索する。この検索の結果、存在していれば、異常部位および特定部位の少なくとも一方を検出できる。
【００７１】
配置部５は、ＧＰＳデータに基づいて、複数の区画画像を、太陽光発電装置１００の区画に対応する位置に配置する。複数の区画画像は、一部の重複がある場合もあるが、太陽光発電装置１００の領域が区分された区画のそれぞれに対応する。配置部５は、ＧＰＳデータを用いて、複数の区画画像を並べて、撮像対象となった太陽光発電装置１００に対応するように複数の区画画像を配置する。
【００７２】
調整部６は、異常部位および特定部位の少なくとも一方に基づいて、複数の区画画像の位置を調整する。配置部５は、区画画像が有するＧＰＳデータを用いて、区画画像を、撮像対象である太陽光発電装置１００の位置に合わせて配置する。しかしながら、ＧＰＳデータの精度や撮像時の撮像角度などによって、区画画像を太陽光発電装置１００の位置に正確に当てはめることが難しいことがある。
【００７３】
例えば、太陽光発電装置１００のある位置に配置されるべき区画画像のＧＰＳデータのわずかな違いにより、この区画画像がこの位置に配置できないことがある。あるいは、区画画像のそれぞれは、隣接する一部と重複していることがある。
【００７４】
このような場合に、ある区画画像と別の区画画像のそれぞれに、同じものと判断できる異常部位もしくは特定部位が含まれていることがある。この同じものと判断できる異常部位と特定部位とから、ある区画画像と別の区画画像の位置関係が特定できることがある。
【００７５】
この位置関係の特定によって、ＧＰＳデータだけでは位置合わせの難しい区画画像の配置を調整できる。特に、区画画像は、太陽光発電装置１００を区画ごとに撮像したものである。このため、同じような太陽光発電パネル１０１が並んでいるだけであり、区画画像ごとでの区別が困難である。
【００７６】
このような場合に、複数の区画画像に含まれる異常部位もしくは特定部位を用いて、区画画像同士の位置関係が整理できる。この整理によって、区画画像のそれぞれの配置を調整でき、あるべき位置に、対応する区画画像が配置された状態となる。
【００７７】
生成部７は、配置部５および調整部６での処理に基づいて、複数の区画画像から、太陽光発電装置１００の全体画像を生成する。全体画像は、図１に示されるように、太陽光発電装置１００全体を示す全体画像が生成される。この全体が等は、複数の区画画像が、あるべき位置に配置されて生成される。
【００７８】
配置部５におけるＧＰＳデータによる配置と、調整部６における異常部位および特定部位による位置関係の調整に基づいて、複数の区画画像が適切に並べられる。この並べられた結果が、全体画像となる。すなわち、全体画像は、複数の区画画像が並べられることで、得られるものである。
【００７９】
このような全体画像が生成されることで、太陽光発電装置１００の全体を俯瞰して、種々の問題を解析することができるようになる。特に、大型の太陽光発電装置１００は、上空から撮像装置で大量の区画画像を撮像せざるを得ない。１つの画像で、一定の解像度をもって全体画像を得ることは困難である。
【００８０】
このような場合にも対応して、実施の形態１の検査装置１は、大量の区画画像を正確に配置して、全体画像を得ることができる。この全体画像は、実際の太陽光発電装置１００を表したものであり、全体を俯瞰するのに最適である。
【００８１】
全体が俯瞰できることで、太陽光発電装置１００の問題や不具合の予兆を検査することができる。特に、メガソーラーのような大型の太陽光発電装置１００は、その全体像を上空から俯瞰することは困難である。ヘリコプターなどで上空から目視したとしても、問題点を探すことは困難である。
【００８２】
これに対して、生成部７によって全体画像が生成されると、これを俯瞰、解析することで、太陽光発電装置１００における問題や不具合の予兆を検査できる。この検査によって、早期に太陽光発電装置１００の診断を行うことができる。
【００８３】
次に、各部の詳細について説明する。
【００８４】
（区画画像）
区画画像は、図１に示されるような太陽光発電装置１００の上空から撮像装置によって撮像される。例えば、区画画像は、太陽光発電装置１００の上空から、無人操縦機で撮像されることで、得られる。図５は、本発明の実施の形態１における区画画像の撮像を示す模式図である。
【００８５】
無人操縦機２００は、太陽光発電装置１００の上空にある。無人操縦機２００は、例えばドローンのような無線操縦可能な小型飛行可能デバイスである。無人操縦機２００は、上空から太陽光発電装置１００の区画１１０の画像を撮影する。区画１１０は、太陽光発電装置１００の一部の領域である。区画１１０は、無人操縦機２００の撮像可能範囲およびＧＰＳデータの付与範囲に応じて、定められれば良い。
【００８６】
太陽光発電装置１００は、複数の区画１１０に仮想的に分けられて、無人操縦機２００によってそれぞれの区画１１０が撮像される。このとき、無人操縦機２００の上空での姿勢や位置によって多少のずれが生じうる。このずれによって、複数の区画画像には、重複する部分を含むこともある。あるいは、予め区画１１０を分ける際に、隣接する一部を重複するように撮像してもよい。この撮像により、一部が重複した状態の区画画像が得られる。
【００８７】
複数の区画画像において、一部の部分が重複していることで、大量の区画画像を、太陽光発電装置１００に合わせた位置に配置する作業が容易となる。特に、異常部位や特定部位を用いて区画画像の位置を調整するので、複数の区画画像に渡って、同じ領域の部分が含まれている（重複している）ことは好ましい。
【００８８】
無人操縦機２００は、このようにして、太陽光発電装置１００の全てをカバーリングする複数の区画画像を撮像する。この複数の区画画像の集合は、太陽光発電装置１００全体を含んでいる。すなわち、複数の区画画像をすべて配置すれば、太陽光発電装置１００全体の全体画像を形成できる。
【００８９】
無人操縦機２００は、このように全体を網羅できる複数の区画画像を撮像する。この際に、部分的に重複する状態で区画画像を撮影することも好適である。無人操縦機２００によって撮像された区画画像は、無人操縦機２００から無線もしくは有線での通信ネットワークで、受信部２に送信されてもよい。あるいは、無人操縦機２００の備える記憶媒体が受信部２に接続されて送信されてもよい。あるいは、記憶媒体が取り外されて、受信部２に渡されてもよい。
【００９０】
また、無人操縦機２００は、ＧＰＳデバイスを備えている。このＧＰＳデバイスによって、無人操縦機２００は、撮像した区画画像にＧＰＳデータを付与することができる。無人操縦機２００は、操縦される際にＧＰＳデバイスで飛行位置や飛行計画を決定する。このＧＰＳデバイスを用いて、撮像した区画画像に、ＧＰＳデータを付与することができる。
【００９１】
ＧＰＳデータは、画像データと合わせて区画画像データに含まればよい。
【００９２】
(受信部)
受信部２は、区画画像データを受信する。区画画像データは、いわゆるデジタルデータであってもよい。可視画像としてのデータでもよいし、温度分布や色分布などのある基準に従ったデジタルデータであってもよい。
【００９３】
受信部２は、通信ネットワークによって区画画像を受け取ってもよいし、記憶媒体からの取り出しや、記憶媒体の移動などによって、区画画像を受け取ってもよい。
【００９４】
図６は、本発明の実施の形態１における無人操縦機２００から通信ネットワークで区画画像を受け取る模式図である。受信部２は、通信ネットワークを介して、無人操縦機２００から区画画像のデータを受信している。このとき、撮像の度に一つずつの区画画像のデータを受け取ってもよいし、撮像が終わってから、まとめて区画画像のデータを受け取ってもよい。
【００９５】
また、無人操縦機２００が収容する記憶媒体が、人力で取り外されてから、受信部２に区画画像データが送られてもよい。
【００９６】
受信部２は、複数の区画画像データであってＧＰＳデータを含んだ区画画像データを受け取って、検査装置１での処理につなげる。
【００９７】
（ＧＰＳデータ読み取り部）
ＧＰＳデータ読み取り部３は、区画画像に付与されているＧＰＳデータを読み取る。ＧＰＳデータは、緯度、経度などで定義された位置データであり、区画画像の中心位置などの緯度、経度データを含んでいる。
【００９８】
ＧＰＳデータ読み取り部３が区画画像のＧＰＳデータを読み取ることで、区画画像の位置を判断する材料を用意できる。すなわち、区画画像が、太陽光発電装置１００でのどの位置に対応するものであるかを、ＧＰＳデータによって判断できる。
【００９９】
（配置部）
配置部５は、ＧＰＳデータを基にして、複数の区画画像を太陽光発電装置１００の位置のそれぞれに合わせて配置する。
【０１００】
図７は、本発明の実施の形態１における配置部による区画画像の配置を示す模式図である。図７には、３枚の区画画像２０が示されている。下側においては、配置前の３枚の区画画像２０Ａ，２０Ｂ、２０Ｃが示されている。これら３枚の区画画像２０Ａ、２０Ｂ、２０Ｃのそれぞれは、ＧＰＳデータを有している。ＧＰＳＤデータは上述のように、緯度、経度の情報を含んでいる。
【０１０１】
配置部５は、区画画像２０ＡのＧＰＳデータに基づいて、区画画像２０Ａのあるべき位置に配置する。同様に、区画画像２０ＢのＧＰＳデータに基づいて、区画画像２０Ｂをあるべき位置に配置する。更に、区画画像２０ＣのＧＰＳデータに基づいて、区画画像２０Ｃをあるべき位置に配置する。図７の矢印は、この配置を示している。
【０１０２】
配置部５による３枚の区画画像の配置結果が、図７の上側に示される状態である。３枚の別々の区画画像２０Ａ〜２０Ｃが、並べられて配置される。図７では、図示の都合上、３枚の区画画像の配置を示しているが、全ての区画画像を配置することで、ＧＰＳデータに基づいて大まかに並べられた略全体画像が生成される。
【０１０３】
ＧＰＳデータで判断できる精度での大まかな略全体画像が生成できる。
【０１０４】
ＧＰＳデータの精度が高く、更に撮像時の撮像装置の姿勢や位置が適正であれば、複数の区画画像から生成される略全体画像の精度は一定以上である。しかしながら、ＧＰＳデータの精度や撮像時の姿勢などによって、略全体画像の精度は十分ではないことが多い。
【０１０５】
また、ＧＰＳデータでの位置関係が不明な場合や複数の区画画像の相対的な位置関係が不明な場合には、配置部５は、仮の位置に区画画像を配置する。仮の位置に配置しておくことで、調整部６によって、その位置を修正して、最終的な全体画像の生成が行えるようになる。
【０１０６】
（検出部）
検出部４は、区画画像に含まれる異常部位および特定部位の少なくとも一つを検出する。もちろん、区画画像に異常部位や特定部位が含まれていなければ、検出ないままでよい。
【０１０７】
ここで、異常部位は、区画画像に対応する区画において、温度が所定値以上の部位である。いわゆるホットスポットと言われる部位である。このような部位は、何らかの理由で発生しており、区画画像の中で識別することができる要素である。区画画像は、いずれも同じ太陽光発電パネルが並んでいるだけであるので、いずれも同じような写真である。
【０１０８】
これに対して、異常部位は、区画画像同士を区別することもできるし、同じ異常部位に基づいて、複数の区画画像同士の位置関係を整理することもできる。ホットスポットと呼ばれる、周囲との温度差が所定値以上である部位を異常部位として検出することで、複数の区画画像同士の位置関係を整理できる。
【０１０９】
また、異常部位は、区画画像に対応する区画において、温度が所定値未満（周囲との温度差が下方において所定値以上）である部位であってもよい。この場合でも、区画画像同士の位置関係を整理できる情報となるからである。
【０１１０】
異常部位は、太陽光発電パネルの形状や地形に関するものではなく、太陽光発電パネルの状態に関するものである。このため、形状や地形の特徴が表れにくい区画でも、異常部位によって、その位置関係を整理することができる。
【０１１１】
特定部位は、太陽光発電装置１００に含まれる太陽光発電パネルの角部、端部、配線および特殊地形の少なくとも一つである。  
【０１１２】
ほとんどの領域で、同じような太陽光発電パネル１０１が並んでおり、区画画像のそれぞれを区別することが難しい。区別が難しいことで、位置関係の整理も難しくなる。
【０１１３】
特定部位は、上述のように形状や地形の特徴であって、これによって、区画画像のそれぞれを区別したり、区画画像の位置関係を整理したりすることができる。
【０１１４】
特定部位は、太陽光発電パネルの角部、端面、配線などであることで、区画画像が、実際の太陽光発電装置１００のいずれの位置にあるものかを、判別しやすくなる。角部や端面は、特徴ある形状であるので、複数の区画画像に同じ特定部位が含まれていることを識別しやすい。配線も同じである。
【０１１５】
同じ特定部位が複数の区画画像に含まれている場合には、この複数の区画画像の位置関係を整理できるようになる。
【０１１６】
また、特定部位は、地形の特徴である特殊地形であることも好適である。特殊地形であることで、区画画像が、太陽光発電装置１００のいずれの位置のものであるかを、判別できるようになる。特殊地形とは、例えば、河川、がけ、段々地形など、区画画像に含まれる種々の地形上の特性である。
【０１１７】
このような異常部位や特定部位が含まれていることを、検出部４は、検出して調整部６に出力する。
【０１１８】
（調整部）
調整部６は、配置部５で配置された区画画像の位置を調整したり、配置部５で配置が出来なかった（仮の位置に配置されたなど）区画画像の位置を決定したりする。配置部５において、ＧＰＳデータである程度の精度で区画画像のそれぞれは、配置されている。
【０１１９】
しかしながら、正確な配置ができていない区画画像が残っていたり、配置されていても不十分な位置精度のままであることもありえる。
【０１２０】
調整部６は、検出部４で検出された異常部位もしくは特定部位を用いて、複数の区画画像同士の位置関係を整理したり、区画画像の位置を整理したりする。このとき、ＧＰＳデータも活用してもよい。あるいは、配置部５での配置結果を活用してもよい。
【０１２１】
例えば、ある区画画像の一部に、異常部位もしくは特定部位が含まれている。この区画画像のＧＰＳデータだけでは、この区画画像の正確な位置が分かりにくいことがある。このような場合には、この区画画像に異常部位か特定部位が含まれており、他の区画画像にも同じ異常部位か特定部位が含まれている場合がある。
【０１２２】
このように、複数の区画画像にまたがって、同じ異常部位や特定部位が含まれている場合には、この異常部位や特定部位を基準として、複数の区画画像を組み合わせて、その位置を調整できる。
【０１２３】
図８は、本発明の実施の形態１における異常部位を用いた区画画像の組み合わせを示す模式図である。
【０１２４】
図８では、２つの区画画像２０Ｄと２０Ｅとがある。区画画像２０Ｄには、異常部位４１が含まれている。区画画像２０Ｅには、異常部位４２が含まれている。調整部６は、この２つの区画画像２０Ｄ、２０Ｅを分析する。この分析において、異常部位４１と異常部位４２とが同一であると判断する。その態様、位置、周囲との関係、それぞれの区画画像のＧＰＳデータなどから、異常部位４１と異常部位４２とが同一であると判断できる。
【０１２５】
すなわち、調整部６は、まず複数の区画画像に含まれる異常部位や特定部位が、同一のものであるかを判定する。図８では、区画画像２０Ｄの異常部位４１と、区画画像２０Ｅの異常部位４２とが同一であると判定している。
【０１２６】
このように同一であると判定する場合には、調整部６は、異なる区画画像同士を、位置調整する。図８の場合には、異常部位４１、４２を一致させるようにして、区画画像２０Ｄと区画画像２０Ｅとの位置関係を調整する。すなわち、区画画像２０Ｄと区画画像２０Ｅの一部同士が重複するように、位置関係が調整される。
【０１２７】
調整部６は、区画画像であって位置関係の整理が不十分なものについては、このように複数の区画画像にまたがっている異常部位や特定部位を用いて、区画画像を組み合わせる。ＧＰＳデータによる配置にこの組み合わせ処理が相まって、複数の区画画像が正確に配置される。この配置によって、全体画像が生成できる。
【０１２８】
（生成部）
生成部７は、配置部５で配置され、更に調整部６で位置が調整された複数の区画画像により、太陽光発電装置１００の全体画像を生成する。複数の区画画像は、全ての集合によって、太陽光発電装置１００全体を形成できる画像を含んでいる。
【０１２９】
すなわち、複数の区画画像をあるべき位置に並べることができれば、全体画像を得ることができる。
【０１３０】
配置部５は、複数の区画画像のそれぞれを、ＧＰＳデータに基づいて、配置している。このＧＰＳデータに基づいて、区画画像が実際の区画に対応する位置に割り当てられている。
【０１３１】
調整部６は、ＧＰＳデータでの配置に加えて、異常部位および特定部位の少なくとも一つに基づいて、区画画像が実際の区画に対応する位置に対して調整されている。例えば、複数の区画画像が重複する部分を少しずつ含んでいる場合に、異常部位を用いてこれらの画像を組み立てて太陽光発電装置１００のある領域を形成する。
【０１３２】
このような処理結果を受けて、生成部７は、全体画像を生成する。
【０１３３】
図９は、本発明の実施の形態１における全体画像の模式図である。全体画像３００は、複数の区画画像が組み合わされて構成されている。生成部７は、このような全体画像を生成する。全体画像は、太陽光発電装置１００全体を俯瞰できる。この俯瞰によって、管理者は、太陽光発電装置１００の問題や不具合の予兆などを検査、確認することができる。
【０１３４】
生成部７が生成する全体画像２００は、図９のような可視画像でもよいし、温度分布を示す温度画像でもよいし、異常部位を示す特殊画像でもよい。全体画像２００は、管理者にとって使い勝手のよい態様であればよい。
【０１３５】
以上のように、実施の形態１における検査装置１は、区画ごとに小分けされて撮像された複数の区画画像を、高い精度で配置、組み合わせを行って、全体画像を生成できる。特に、区画画像には、ほとんど同じ太陽光発電パネル１０１しか映っていなくても、ＧＰＳデータと異常部位などを活用することで、高い精度絵配置・組み合わせを行える。
【０１３６】
このようにして得られた全体画像３００によって、太陽光発電装置１００全体を俯瞰して検査等を行うことができる。
【０１３７】
（実施の形態２）
【０１３８】
次に実施の形態２について説明する。実施の形態２では、追加要素やバリエーションについて説明する。
【０１３９】
（調整部での画像の組み合わせ）
調整部６は、実施の形態１で説明したように、異常部位および特定部位の少なくとも一つに基づいて、複数の区画写真の位置関係や組み合わせを調整する。  
【０１４０】
図１０は、本発明の実施の形態２における区画画像の組み合わせを示す説明図である。図１０においては、５枚の区画画像２０が異常部位もしくは特定部位に基づいて組み合わされる状態を示している。
【０１４１】
５枚の区画画像２０のそれぞれは、太陽光発電装置１００のある部分を重複して撮像されており、ある部分を、それぞれが含んだ状態である。本来であれば、この５枚の区画画像２０は、この重複している共通部分を重ねるように組み合わされる必要がある。
【０１４２】
しかしながら、５枚の区画画像２０のそれぞれには、太陽光発電パネル１０１が写っており、目視でこれを区別することは困難である。もちろん、画像処理を用いても難しい。それぞれの区画画像２０に写っている太陽光発電パネル１０１が、実際の太陽光発電装置１００のいずれの位置に対応するものであるかを判定することが困難だからである。
【０１４３】
ここで、５枚の区画画像２０のそれぞれには、検出部４によって異常部位もしくは特定部位が検出されている。調整部７は、これら検出された異常部位もしくは特定部位のそれぞれが、５枚の区画画像２０のそれぞれで共通している（同一である）と判定できる。
【０１４４】
５枚の区画画像２０はＧＰＳデータを有している。このＧＰＳデータにより、調整部６は、５枚の区画画像２０のそれぞれは、近接した位置の画像であると判断できる。また、異常部位は、例えば、周辺に比較して温度差が所定値以上であったり、温度が所定値以上であったりすることで検出される。このため、複数の区画画像２０のそれぞれで検出された異常部位の同一性を判定できる。
【０１４５】
すなわち、ＧＰＳデータ情報と異常部位の特徴とを合わせて、複数の区画画像２０にて検出されたある異常部位が、同一であると判定できる。これは、複数の区画画像２０にて検出された特定部位でも、同じように判定できる。
【０１４６】
図１０では、複数の異常部位と特定部位が検出されている。このうち、５枚の区画画像２０において共通する（同一）異常部位や特定部位が判定されている。異常部位や特定部位同士を結ぶ線は、同一であると判定された異常部位や特定部位を示している。
【０１４７】
これらの判定の結果、５枚の区画画像２０のそれぞれで検出された異常部位や特定部位のいずれか同士が同一である。この同一である異常部位同士や特定部位同士を一致させるように５枚の区画画像２０を組み合わせる。この組み合わせによって、ある領域を重複して撮像している複数の区画画像２０の位置関係が整理でき、ある領域を画像として構成することができる。
【０１４８】
もちろん、配置部５においてＧＰＳデータでの配置がなされているので、ある領域として画像が構成されれば、撮像対象の太陽光発電装置１００に対応する位置の画像を構成できる。
【０１４９】
このようにして、調整部６は、異常部位や特定部位を活用して複数の区画画像を組み合わせることができる。
【０１５０】
なお、異常部位の同一性は、その異常部位の温度で判断すればよい。これは、異常部位が、温度が所定値以上や温度差分が所定値以上などによって検出されているからである。特定部位の同一性は、その形状で判断すればよい。特定部位は、太陽光発電パネルの角部、端面、配線あるいは地形特徴などによって検出されるからである。
【０１５１】
（識別部）
生成部７が生成した全体画像に含まれる異常部位に基づいて、太陽光発電装置１００の太陽光発電パネル１０１の内、不良のある不良太陽光発電パネルを識別する識別部を更に備えることも好適である。
【０１５２】
図１１は、本発明の実施の形態２における検査装置のブロック図である。実施の形態１に比較して、識別部８が追加されている。識別部８は、上述の通り、全体画像の結果に基づいて、不良太陽光発電パネルを識別する。このとき、検出部４での検出結果も利用する。
【０１５３】
異常部位は、上述したように、温度が所定値以上である部位である。あるいは、他の場所に比較して所定値以上、温度が高い部位である。太陽光発電パネル１０１において、このような温度あるいは温度差が所定値以上である場合には、当該太陽光発電パネル１０１は、何らかの問題や不具合の予兆を有している可能性がある。例えば、太陽光発電パネル１０１を構成するセルが損傷していたり、機能不全を起こしていたりする。
【０１５４】
検出部４は、このような異常部位を検出している。調整部６は、全体画像を構成するために、この異常部位を利用しているが、識別部８は、異常のありえる不良太陽光発電パネルを識別するのに利用する。
【０１５５】
識別部８は、全体画像に基づいて、異常部位が含まれている太陽光発電パネル１０１を不良太陽光発電パネルとして識別する。このとき、異常部位が含まれているすべての太陽光発電パネルを不良太陽光発電パネルとして識別してもよい。
【０１５６】
あるいは、異常部位の個数が所定値以上である太陽光発電パネルを不良太陽光発電パネルとして識別してもよい。あるいは、異常部位のレベルに応じて（温度差のレベルなど）不良太陽光発電パネルを識別してもよい。
【０１５７】
このようにして、問題や不具合の予兆を生じている可能性のある不良太陽光発電パネルを識別する。
【０１５８】
なお、不良太陽光発電パネルとは、不良状態にあるというだけではなく、不良となる可能性もある太陽光発電パネルも含んでいる。
【０１５９】
（解析部）
図１２は、本発明の実施の形態２における検査装置のブロック図である。図１１の場合に比較して、解析部９が追加されている。
【０１６０】
解析部９は、識別部８で識別された不良太陽光発電パネルの不良レベルを解析する。解析部９は、例えば、ある不良太陽光発電パネルに含まれる異常部位の数が、所定値以上である場合に、不良レベルが高いとして解析する。あるいは、異常部位の温度（温度差）が非常に高い場合に、不良レベルが高いとして解析する。
【０１６１】
逆に、ある不良太陽光発電パネルに含まれる異常部位の数が、所定値未満である場合や、温度差が所定値未満である場合には、不良レベルが低いとして解析する。
【０１６２】
不良レベルが高い場合には、解析部９は、不良太陽光発電パネルが近い将来に故障や不具合を生じさせる可能性が高いとして判定する。あるいは、不良レベルが低い場合には、解析部９は、不良太陽光発電パネルに注意をしておくべきとして判定する。このような解析によって、太陽光発電装置１００の問題を、早期に検出して、対応を行うことができる。
【０１６３】
以上のように、実施の形態２における太陽光発電装置の検査装置１は、問題を検査するための全体画像を精度よく構成できる。また、太陽光発電装置１００に含まれる太陽光発電パネル１０１の中で、不良であるものや不良レベルの識別や解析を行える。この結果、太陽光発電装置１００のメンテナンスや早期対応が可能となる。
【０１６４】
実施の形態１、２で説明された異常部位において、温度が所定値以上であったり、他の部位との温度差が所定値以上であったりするものを、ホットスポットとして定義することも好適である。
【０１６５】
図１３を用いて、ホットスポットの検出とこれを用いた区画画像の構築の流れの一例を説明する。図１３は、本発明の実施の形態２におけるホットスポットの検出と区画画像構築のフローチャートである。
【０１６６】
まず、ホットスポットとしての検出における温度条件が設定される。次いで、複数の区画画像の全てにおいて、ホットスポットが検出されたかどうかが確認される。全てにおいて検出されれば、図１３の矢印の下に移行する。すなわち、検出されたホットスポットについて、新たに座標を計算する。このとき、区画画像の左上隅をＧＰＳデータの座標位置として設定し、この区画画像中のホットスポットとこの左上隅との位置関係から、ホットスポットの座標位置を再計算する。
【０１６７】
仮に、全ての区画画像においてホットスポットが検出されない場合には、ホットスポットの検出されていない区画画像に、自動的にホットスポットを入れる（図１３では、特異点としてホットスポットが定義されている）。
【０１６８】
新たな座標位置として計算された各区画画像のホットスポットの座標位置において、座標位置が近いものが、同一のホットスポットであるとして決定される。同一としてのホットスポットをリンクさせることで関係づけることができる。
【０１６９】
このリンクされたホットスポット（特異点＝異常部位）を基準として、複数の区画画像同士の位置関係と組み合わせを構築する。この処理手順によって、全体画像を構成できる。
【０１７０】
このような手順でホットスポットを利用した全体画像の構築も行える。
【０１７１】
なお、実施の形態１〜    で説明された        は、本発明の趣旨を説明する一例であり、本発明の趣旨を逸脱しない範囲での変形や改造を含む。
【符号の説明】
【０１７２】
１    太陽光発電装置の検査装置
２    受信部
３    ＧＰＳデータ読み取り部
４    検出部
５    配置部
６    調整部
７    生成部
８    識別部
９    解析部
２０    区画画像
１００    太陽光発電装置
２００  無人操縦機
３００    全体画像
【図１】
2018042360.tif 000003
【図２】
2018042360.tif 000004
【図３】
2018042360.tif 000005
【図４】
2018042360.tif 000006
【図５】
2018042360.tif 000007
【図６】
2018042360.tif 000008
【図７】
2018042360.tif 000009
【図８】
2018042360.tif 000010
【図９】
2018042360.tif 000011
【図１０】
2018042360.tif 000012
【図１１】
2018042360.tif 000013
【図１２】
2018042360.tif 000014
【図１３】
2018042360.tif 000015